(57)【要約】      （修正有）【課題】短時間で、且つ小規模な構成で空気中に浮遊するアスベストの有無を高精度に検査できる空中浮遊アスベスト検査装置、その方法、並びにそれに用いるフィルタを提供する。【解決手段】アスベスト吸着フィルタ２１は、アスベストを通過させない孔径の孔を備えたフィルタであり、スズなどの金属の赤外線非吸収部材が付着されている。吸引部３１は、吸引路３３を介してアスベスト吸着フィルタ２１に吸引力を発生し、検査対象の空気をアスベスト吸着フィルタ２１に向けて流入させる。赤外線照射部２３から赤外線をアスベスト吸着フィルタ２１の所定の領域に照射しながら、スペクトル分析部２５で当該所定のスペクトル分析をする。そして、そのスペクトル分析結果を基に、空気中にアスベストが浮遊しているかを判別する。【選択図】図１
2020125967.tif 000002
【特許請求の範囲】
【請求項１】
アスベストを通過させない孔径のフィルタと、
検査対象の空気を前記フィルタに向けて吸引する吸引手段と、
赤外線照射手段と、
赤外線吸収スペクトルを分析する手段とを有し、
前記フィルタには、赤外線非吸収部材が蒸着されている
空中浮遊アスベスト検査装置。
【請求項２】
前記検査対象の空気を吸引した後の前記フィルタに赤外線を照射し、前記フィルタに付着したアスベストが前記赤外光を吸収したスペクトルを基に、前記検査対象の空気にアスベストが含まれるか否かを判別する判別手段
をさらに有する請求項１に記載の空中浮遊アスベスト検査装置。
【請求項３】
前記赤外線非吸収部材は、金属である
請求項１又は請求項２に記載の空中浮遊アスベスト検査装置。
【請求項４】
前記赤外線非吸収部材は、スズである
請求項３に記載の空中浮遊アスベスト検査装置。
【請求項５】
前記フィルタの穴径は、０．３〜２．５μｍである
請求項１〜４のいずれかに記載の空中浮遊アスベスト検査装置。
【請求項６】
前記フィルタは、ポリカーボネート製あるいはセルロースエステル製である
請求項１〜５のいずれかに記載の空中浮遊アスベスト検査装置。
【請求項７】
前記赤外線非吸着部材は、前記フィルタの孔を塞ぐことなく、且つ前記フィルタの前記空気が流入する側の部分の全域に蒸着により金属が付着されている
請求項１〜６のいずれかに記載の空中浮遊アスベスト検査装置。
【請求項８】
前記吸引手段が所定の期間、前記吸引を行い、吸引完了後に前記判別手段が前記判別を行う動作を繰り返すように制御する制御手段
をさらに有する請求項１〜７のいずれかに記載の空中浮遊アスベスト検査装置。
【請求項９】
アスベストを通過させない孔径のフィルタに向けて、検査対象の空気を吸引する吸引工程と、
前記吸引工程後に、前記フィルタに赤外線を照射する赤外線照射工程と、
前記赤外線照射工程後に、前記フィルタに付着したアスベストが前記赤外光を吸収したスペクトルを基に、前記検査対象の空気にアスベストが含まれるか否かを判別する判別工程と
を有し、
前記フィルタには、赤外線非吸収部材が蒸着されている空中浮遊アスベスト検査方法。
【請求項１０】
アスベストを通過させない孔径のメンブレンフィルタであって、
穴径は０．３〜２．５μｍであり、
空気とアスベストを濾別する面には赤外線非吸収部材が蒸着されている
アスベスト用フィルタ。
【請求項１１】
前記赤外線非吸着部材は、前記フィルタの孔を塞ぐことなく、且つ前記フィルタの前記空気が流入する側の部分の全域に蒸着により金属が付着されている
請求項１０に記載のアスベスト用フィルタ。
【発明の詳細な説明】
【技術分野】
【０００１】
本発明は、アスベストの識別法に関し、特に大気中に浮遊するアスベストを検査する空中浮遊アスベスト検査装置、その方法、並びにそれに用いるアスベスト用フィルタに関する。
【背景技術】
【０００２】
従来のアスベスト分析方法には、アスベスト粒子と他の物質粒子の屈折率の相違を利用する位相差顕微鏡による分散染色法、複屈折性をも確認できる手法を組み込んだ位相差顕微鏡による分散染色法（特許文献１）、アスベストの複屈折性を利用する偏光顕微鏡による消光角法等がある。
このような顕微鏡法は、大規模になり、且つ時間用を要する。
【先行技術文献】
【特許文献】
【０００３】
【特許文献１】特開２０１３−０２９４４２号公報
【発明の概要】
【発明が解決しようとする課題】
【０００４】
ところで、作業現場等に浮遊するアスベスト粒子を短時間で現場で検査したいという要請がある。
しかしながら、従来のアスベスト分析法では、検査対象を採取して、別の場所にある顕微鏡で検査することになり、現場で短時間に検査できないという問題がある。
【０００５】
本発明はかかる事情に鑑みてなされたものであり、その目的は、短時間で、且つ小規模な構成で空気中に浮遊するアスベストの有無を高精度に検査できる空中浮遊アスベスト検査装置、その方法、並びにそれに用いるフィルタを提供することにある。
【課題を解決するための手段】
【０００６】
上述した従来技術の問題を解決し、上述した目的を達成するために、本発明の空中浮遊アスベスト検査装置は、アスベストを通過させない孔径のフィルタと、検査対象の空気を前記フィルタに向けて吸引する吸引手段とを有し、前記フィルタには、赤外線非吸収部材が付着されている。
【０００７】
好適には、前記検査対象の空気を吸引した後の前記フィルタに赤外線を照射し、前記フィルタに付着したアスベストが前記赤外光を吸収したスペクトルを基に、前記検査対象の空気にアスベストが含まれるか否かを判別する判別手段をさらに有する。
【０００８】
好適には、前記赤外線非吸収部材は、金属である。
【０００９】
好適には、前記赤外線非吸収部材は、スズである。
【００１０】
好適には、前記フィルタの穴径は、０．３〜２．５μｍである。
【００１１】
好適には、前記フィルタは、ポリカーボネート製あるいはセルロースエステル製である。
【００１２】
好適には、前記赤外線非吸着部材は、前記フィルタの孔を塞がなく、且つ前記フィルタの構成部材の前記空気が流入する側の部分の全域に蒸着により付着されている。
【００１３】
好適には、前記吸引手段が所定の期間、前記吸引を行い、吸引完了後に前記判別手段が前記判別を行う動作を繰り返すように制御する制御手段をさらに有する。
【００１４】
本発明の空中浮遊アスベスト検査方法は、アスベストを通過させない孔径のフィルタに向けて、検査対象の空気を吸引する吸引工程と、前記吸引工程後に、前記フィルタに赤外線を照射する赤外線照射工程と、前記赤外線照射工程後に、前記フィルタに付着したアスベストが前記赤外光を吸収したスペクトルを基に、前記検査対象の空気にアスベストが含まれるか否かを判別する判別工程とを有し、前記フィルタには、赤外線非吸収部材が付着されている。
【００１５】
本発明のアスベスト用フィルタは、アスベストを通過させない孔径のフィルタであって、ポリカーボネート製あるいはセルロースエステル製であり、穴径は、０．３〜２．５μｍであり、孔を形成する構成部材には赤外線非吸収部材が付着されている。
【００１６】
好適には、前記赤外線非吸着部材は、前記フィルタの孔を塞がなく、且つ前記フィルタを構成する構成部材の少なくとも一方側の全域に蒸着により付着されている。
【発明の効果】
【００１７】
本発明によれば、短時間で、且つ小規模な構成で空気中に浮遊するアスベストの有無を高精度に検査できる空中浮遊アスベスト検査装置、その方法、並びにそれに用いるフィルタを提供することができる。
【図面の簡単な説明】
【００１８】
【図１】図１は、本発明の実施形態に係わる空中浮遊アスベスト検査装置の構成図である。
【図２】図２は、本発明の実施形態に係わる空中浮遊アスベスト検査装置を用いたアスベスト検査方法を説明するためのフローチャートである。
【発明を実施するための形態】
【００１９】
以下、本発明の実施形態に係わる空中浮遊アスベスト検査装置及びその方法について説明する。
図１は、本発明の実施形態に係わる空中浮遊アスベスト検査装置１の構成図である。
図１に示すように、空中浮遊アスベスト検査装置１は、例えば、アスベスト吸着フィルタ２１（アスベスト用フィルタ）、赤外線照射部２３、スペクトル分析部２５、アスベスト判別部２７、吸引部３１及び制御部４１を有する。
空中浮遊アスベスト検査装置１は、例えば、図１に示す全ての構成要素を一つの筐体内に収容している。
【００２０】
アスベスト吸着フィルタ２１は、アスベストを通過させない孔径の孔を備えてたフィルタである。
アスベスト吸着フィルタ２１には、赤外線非吸収部材が付着されている。
当該赤外線非吸着部材は、例えば、アスベスト吸着フィルタ２１の孔を塞がなく、且つアスベスト吸着フィルタ２１を構成する構成部材（多孔質の膜部分）の空気が流入する側の部分の全域に蒸着により付着されている。
【００２１】
赤外線非吸収部材は、赤外線を吸収する金属であり、例えは、スズである。
このようにアスベスト吸着フィルタ２１には、赤外線非吸収部材が形成されているため、後述するように赤外線が照射されたときに、アスベスト以外の部分で赤外線が吸収されることはない。これにより、アスベスト吸着フィルタ２１にアスベストが付着しているかを高精度に判別できる。
また、このように赤外線非吸収部材を形成することで、当該赤外線非吸収部材で赤外線を反射させて、付着したアスベストに照射することができ、より効率的に赤外光を吸収できる。
【００２２】
また、アスベスト吸着フィルタ２１の構成部材によって形成される穴径は、０．３〜２．５μｍである。
また、当該構成部材はポリカーボネートやセルロースエステルで形成されている。
また、アスベスト吸着フィルタ２１は、例えば、直径４７ｍｍ、平均孔径０．８μｍの円形白色である。繊維の計数の妨げにならないように、格子が印刷されていないものを使用する。
【００２３】
赤外線照射部２３は、アスベスト吸着フィルタ２１の空気が流入する側に、アスベスト吸着フィルタ２１と一定距離離れて配置されている。
赤外線照射部２３は、アスベスト吸着フィルタ２１の所定の領域に、赤外線を照射する。
アスベスト吸着フィルタ２１に赤外線が照射されると、アスベスト吸着フィルタ２１にアスベストが付着していれば、当該アスベストが赤外線を吸収する。
【００２４】
スペクトル分析部２５は、アスベスト吸着フィルタ２１の上記所定の領域からの赤外線吸収スペクトルを分析する。
スペクトル分析部２５は、例えば、１４００ナノメータ付近の近赤外線の吸収スペクトルを検出する。
【００２５】
アスベスト判別部２７は、スペクトル分析部２５のスペクトル分析結果を基に、検査対象の空気内にアスベストが浮遊しているかを判別する。
具体的には、アスベスト判別部２７は、スペクトル分析部２５スペクトル分析結果により赤外線が吸収されていれば（アスベスト吸着フィルタ２１からの光に赤外線のスペクトルが存在しない場合）、検査対象の空気内にアスベストが浮遊していると判別し、そうでない場合はアスベストが浮遊していないと判断する。
また、アスベスト判別部２７は、スペクトル分析結果を基に、アスベスト吸収度（レベル）に応じて、アスベストの浮遊量を特定して表示してもよい。
【００２６】
このように、アスベスト吸着フィルタ２１に赤外線照射部２３から赤外線を照射し、それを吸収したアスベストのスペクトルを分析することで、顕微鏡法に比べて、小規模な構成で、短時間で検査を行うことができる。
【００２７】
吸引部３１は、吸引路３３を介してアスベスト吸着フィルタ２１に吸引力を発生し、ケース４１の外側の検査対象の空気をアスベスト吸着フィルタ２１に向けて流入させる。例えば、吸引流量 １０Ｌ/ｍｉｎで連続４時間空気を捕集（吸引）する。
【００２８】
制御部４１は、空中浮遊アスベスト検査装置１の動作を統括的に制御する。
例えば、制御部４１は、吸引部３１が所定の期間吸引を行い、吸引完了後にアスベスト判別部２７が上記判別を行う動作を繰り返すように制御する。
【００２９】
以下、空中浮遊アスベスト検査装置１を用いたアスベスト検査方法を説明する。
図２は、本発明の実施形態に係わる空中浮遊アスベスト検査装置１を用いたアスベスト検査方法を説明するためのフローチャートである。
【００３０】
ステップＳＴ１：
吸引部３１を駆動して、吸引路３３を介してアスベスト吸着フィルタ２１に吸引力を発生させる。
これより、空中浮遊アスベスト検査装置１の外部の検査対象の空気がアスベスト吸着フィルタ２１に流入し、当該空気内にアスベストが浮遊していた場合には、アスベストがアスベスト吸着フィルタ２１に付着する。
【００３１】
ステップＳＴ２：
赤外線照射部２３から赤外線をアスベスト吸着フィルタ２１の所定の領域に照射しながら、スペクトル分析部２５で当該所定の領域のスペクトルを分析する。
このとき、前述したように、アスベスト吸着フィルタ２１を構成する構成部材の空気が流入する側の部分の全域に蒸着により付着されている。そのため、検査対象の空気内で浮遊してアスベスト吸着フィルタ２１に付着したアスベストのみが赤外線を吸収する。
【００３２】
ステップＳＴ３：
アスベスト判別部２７は、スペクトル分析部２５のスペクトル分析結果を基に、検査対象の空気内にアスベストが浮遊しているかを判別する。
【００３３】
ステップＳＴ４：
アスベスト判別部２７の判別結果を表示する。
【００３４】
以上説明したように、空中浮遊アスベスト検査装置１によれば、アスベスト吸着フィルタ２１に赤外線照射部２３から赤外線を照射し、それを吸収したアスベストのスペクトルを分析することで、顕微鏡法に比べて、小規模な構成で、短時間で検査を行うことができる。
【００３５】
また、空中浮遊アスベスト検査装置１のアスベスト吸着フィルタ２１には、赤外線非吸収部材が形成されているため、赤外線が照射されたときに、アスベスト以外の部分で赤外線が吸収されることはない。これにより、アスベスト吸着フィルタ２１にアスベストが付着しているかを高精度に判別できる。
【００３６】
また、このように赤外線非吸収部材を形成することで、当該赤外線非吸収部材で赤外線を反射させて、付着したアスベストに照射することができ、より効率的にアスベストで赤外線を吸収できる。
【００３７】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００３８】
上述した実施形態では、アスベスト吸着フィルタ２１（アスベスト用フィルタ）、赤外線照射部２３、スペクトル分析部２５、アスベスト判別部２７、吸引部３１及び制御部４１を一つの筐体内に収容する場合を例示したが、これらの全てあるいは一部を別筐体等に個別に設けてもよい。
【産業上の利用可能性】
【００３９】
本発明は、空気中に浮遊するアスベストを検査するシステムに適用可能である。
【符号の説明】
【００４０】
１…空中浮遊アスベスト検査装置
２１…アスベスト吸着フィルタ
２３…赤外線照射部
２５…スペクトル分析部
２７…アスベスト判別部
３１…吸引部
４１…制御部
【図１】
2020125967.tif 000003
【図２】
2020125967.tif 000004
【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
アスベストを通過させない孔径の孔を有し、赤外線非吸収部材が蒸着されているシート状のフィルタと、
検査対象の空気を前記フィルタに向けて吸引路を介して吸引する吸引手段と、
前記フィルタの所定の領域に赤外線を照射する赤外線照射手段と、
前記フィルタの前記所定の領域からの赤外線の吸収スペクトルを分析するスペクトル分析手段と
を有し、
前記フィルタは、前記赤外線照射手段及び前記スペクトル分析手段と、前記吸引路との間に位置し、
前記赤外線照射手段及び前記スペクトル分析手段は、前記フィルタの前記吸引路の口と対向する領域に対して、前記フィルタと直交する方向から見て重なり合わない位置に配置されており、
前記フィルタ、前記吸引手段、前記赤外線照射手段及び前記スペクトル分析手段が一つの筐体内に設けられている
空中浮遊アスベスト検査装置。
【請求項２】
前記フィルタと直交する方向から見て、  前記赤外線照射手段と前記スペクトル分析手段との間に前記吸引路が位置するように配置されている
請求項１に記載の空中浮遊アスベスト検査装置。
【請求項３】
前記検査対象の空気を吸引した後の前記フィルタに赤外線を照射し、前記フィルタに付着したアスベストが前記赤外光を吸収したスペクトルを基に、前記検査対象の空気にアスベストが含まれるか否かを判別する判別手段
をさらに有する請求項１又は請求項２に記載の空中浮遊アスベスト検査装置。
【請求項４】
前記赤外線非吸収部材は、金属である
請求項１〜３のいずれかに記載の空中浮遊アスベスト検査装置。
【請求項５】
前記赤外線非吸収部材は、スズである
請求項４に記載の空中浮遊アスベスト検査装置。
【請求項６】
前記フィルタの穴径は、０．３〜２．５μｍである
請求項１〜５のいずれかに記載の空中浮遊アスベスト検査装置。
【請求項７】
前記フィルタは、ポリカーボネート製あるいはセルロースエステル製である
請求項１〜６のいずれかに記載の空中浮遊アスベスト検査装置。
【請求項８】
前記赤外線非吸着部材は、前記フィルタの孔を塞ぐことなく、且つ前記フィルタの前記空気が流入する側の部分の全域に蒸着により金属が付着されている
請求項１〜７のいずれかに記載の空中浮遊アスベスト検査装置。
【請求項９】
前記吸引手段が所定の期間、前記吸引を行い、吸引完了後に前記判別手段が前記判別を行う動作を繰り返すように制御する制御手段
をさらに有する請求項１〜８のいずれかに記載の空中浮遊アスベスト検査装置。
【手続補正３】
【補正対象書類名】明細書
【補正対象項目名】０００５
【補正方法】変更
【補正の内容】
【０００５】
本発明はかかる事情に鑑みてなされたものであり、その目的は、短時間で、且つ小規模な構成で空気中に浮遊するアスベストの有無を高精度に検査できる空中浮遊アスベスト検査装置を提供することにある。
【手続補正４】
【補正対象書類名】明細書
【補正対象項目名】０００６
【補正方法】変更
【補正の内容】
【０００６】
上述した従来技術の問題を解決し、上述した目的を達成するために、本発明の空中浮遊アスベスト検査装置は、アスベストを通過させない孔径の孔を有し、赤外線非吸収部材が蒸着されているシート状のフィルタと、検査対象の空気を前記フィルタに向けて吸引路を介して吸引する吸引手段と、前記フィルタの所定の領域に赤外線を照射する赤外線照射手段と、前記フィルタの前記所定の領域からの赤外線の吸収スペクトルを分析するスペクトル分析手段とを有し、前記フィルタは、前記赤外線照射手段及び前記スペクトル分析手段と、前記吸引路との間に位置し、前記赤外線照射手段及び前記スペクトル分析手段は、前記フィルタの前記吸引路の口と対向する領域に対して、前記フィルタと直交する方向から見て重なり合わない位置に配置されており、前記フィルタ、前記吸引手段、前記赤外線照射手段及び前記スペクトル分析手段が一つの筐体内に設けられている。
【手続補正５】
【補正対象書類名】明細書
【補正対象項目名】０００７
【補正方法】変更
【補正の内容】
【０００７】
好適には、前記フィルタと直交する方向から見て、  前記赤外線照射手段と前記スペクトル分析手段との間に前記吸引路が位置するように配置されている。
【手続補正６】
【補正対象書類名】明細書
【補正対象項目名】０００８
【補正方法】変更
【補正の内容】
【０００８】
好適には、前記検査対象の空気を吸引した後の前記フィルタに赤外線を照射し、前記フィルタに付着したアスベストが前記赤外光を吸収したスペクトルを基に、前記検査対象の空気にアスベストが含まれるか否かを判別する判別手段をさらに有する。
【手続補正７】
【補正対象書類名】明細書
【補正対象項目名】０００９
【補正方法】変更
【補正の内容】
【０００９】
好適には、前記赤外線非吸収部材は、金属である。
【手続補正８】
【補正対象書類名】明細書
【補正対象項目名】００１０
【補正方法】変更
【補正の内容】
【００１０】
好適には、前記赤外線非吸収部材は、スズである。
【手続補正９】
【補正対象書類名】明細書
【補正対象項目名】００１１
【補正方法】変更
【補正の内容】
【００１１】
好適には、前記フィルタの穴径は、０．３〜２．５μｍである。
【手続補正１０】
【補正対象書類名】明細書
【補正対象項目名】００１２
【補正方法】変更
【補正の内容】
【００１２】
好適には、前記フィルタは、ポリカーボネート製あるいはセルロースエステル製である。
【手続補正１１】
【補正対象書類名】明細書
【補正対象項目名】００１３
【補正方法】変更
【補正の内容】
【００１３】
好適には、前記赤外線非吸着部材は、前記フィルタの孔を塞ぐことなく、且つ前記フィルタの前記空気が流入する側の部分の全域に蒸着により金属が付着されている。
【手続補正１２】
【補正対象書類名】明細書
【補正対象項目名】００１４
【補正方法】変更
【補正の内容】
【００１４】
好適には、前記吸引手段が所定の期間、前記吸引を行い、吸引完了後に前記判別手段が前記判別を行う動作を繰り返すように制御する制御手段をさらに有する。
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】変更
【補正の内容】
【００１７】
本発明によれば、短時間で、且つ小規模な構成で空気中に浮遊するアスベストの有無を高精度に検査できる空中浮遊アスベスト検査装置を提供することができる。